【手続補正書】
【提出日】平成18年2月8日(2006.2.8)
【手続補正１】
【補正対象書類名】明細書
【補正対象項目名】請求項１
【補正方法】変更
【補正の内容】
【請求項１】  エンジンを動力源として車体フレームに連結されて畝間を自走可能な走行装置を備え、乗用車体に茶樹の細断装置を装備した乗用型茶樹中刈機において、上記細断装置には、刈り取られた剪枝屑を畝間に排除する屑搬送手段が設けられていることを特徴とする乗用型茶樹中刈機。
【手続補正２】
【補正対象書類名】明細書
【補正対象項目名】請求項３
【補正方法】変更
【補正の内容】
【請求項３】  請求項２記載の乗用型茶樹中刈機において、前記オーガは、前記茶畝の幅方向中央を境にして左右で相対する方向にリード方向が設定されていることを特徴とする乗用型茶樹中刈機。
【手続補正３】
【補正対象書類名】明細書
【補正対象項目名】０００３
【補正方法】変更
【補正の内容】
【０００３】
前記細断装置は、深刈り作業および中刈り作業に対応できるように、フリーハンマーを構成するフレール刃の回転支軸が上下に位置調節自在となっている。
【手続補正４】
【補正対象書類名】明細書
【補正対象項目名】０００４
【補正方法】変更
【補正の内容】
【０００４】
【発明が解決しようとする課題】
前記細断装置により深刈り作業および中刈り作業を行う場合には、刈り取られた剪枝屑がそのまま茶畝内に落下する。しかし、茶畝内に剪枝屑が落下すると、剪枝屑が地表を覆い湿気が多くなる。このように剪枝屑が地表に堆積した場合には湿気により茶葉に悪影響を及ぼす。この場合の悪影響とは、茶葉に病気（髪の毛病）が発生することや剪定された茶樹の新芽が育ちにくくなることなどが挙げられる。
【手続補正５】
【補正対象書類名】明細書
【補正対象項目名】０００６
【補正方法】変更
【補正の内容】
【０００６】
【課題を解決するための手段】
この目的を達成するため、請求項１記載の発明は、エンジンを動力源として車体フレームに連結されて畝間を自走可能な走行装置を備え、乗用車体に茶樹の細断装置を装備した乗用型茶樹中刈機において、上記細断装置には、刈り取られた剪枝屑を畝間に排除する屑搬送手段が設けられていることを特徴としている。
【手続補正６】
【補正対象書類名】明細書
【補正対象項目名】０００８
【補正方法】変更
【補正の内容】
【０００８】
請求項３記載の発明は、請求項２記載の乗用型茶樹中刈機において、前記オーガは、前記茶畝の幅方向中央を境にして左右で相対する方向にリード方向が設定されていることを特徴としている。
【手続補正７】
【補正対象書類名】明細書
【補正対象項目名】０００９
【補正方法】変更
【補正の内容】
【０００９】
【作用】
請求項１乃至３記載の発明では、フリーハンマーの回転力によって吹き飛ばされる位置に設けられているオーガによって、細断装置により刈り取られた剪枝屑が深刈りあるいは中刈り作業の範囲外に搬送される。これにより、深刈りあるいは中刈り作業の範囲、換言すれば、茶畝の茶樹内に剪枝屑が落下しないようにできる。特に、請求項３記載の発明では、茶畝の幅方向中央を境にして相対方向にリード方向が設定されているオーガにより、茶畝の両側に向けて剪枝屑が振り分けられるので、搬送距離を短くして搬送過程で落下する虞を軽減することができる。
【手続補正８】
【補正対象書類名】明細書
【補正対象項目名】００１１
【補正方法】変更
【補正の内容】
【００１１】
車体フレーム２上には操作ボックス６が配置され、その後方には、運転席（図示されず）が設置されている。さらに車体フレーム２上には、茶畝の幅方向において片側に送風機７が設置され、この送風機７と運転席との間の中央部にはエンジンなどを収容したボックス状の動力部カバー８が配置されている。
【手続補正９】
【補正対象書類名】明細書
【補正対象項目名】００１２
【補正方法】変更
【補正の内容】
【００１２】
図１に示す茶樹中刈機において車体フレーム２上には、エンジンが前記動力部カバー８内に横置き搭載されている。このエンジンは全ての動力源となる高出力のディーゼルエンジンであり、前記運転席側に向く側部に冷却ファンを装着している。
これに対応して動力部カバー８の運転席側に向く側部には冷却風吸入口が設けられ、その内側にラジエータおよびオイルクーラが上記冷却ファンに対向して配置されている。
【手続補正１０】
【補正対象書類名】明細書
【補正対象項目名】００１３
【補正方法】変更
【補正の内容】
【００１３】
前記エンジンの出力軸には、図示しないカップリングを介して油圧ポンプの駆動軸２０が直結されている。また、この駆動軸２０は、一部のみ図１に図示されたベルト伝動機構を介して後述する細断装置４の駆動部および剪定装置５に有するバリカン刃の往復駆動用の補助油圧ポンプに対して駆動力を伝達できるようになっている。
【手続補正１１】
【補正対象書類名】明細書
【補正対象項目名】００１４
【補正方法】変更
【補正の内容】
【００１４】
一方、前記車体フレーム２は、クローラ走行装置３に前後左右の脚部２ａ，２ｂが連結されたメインフレーム２ｃの組合せ構造からなる。本実施例では、詳細を図示しないが、上述した駆動部およびフレームの構成を含めて本願出願人の先願に係る特開平８−２６６１３２号公報に示されているように、車体フレーム２の前後に位置するフレームが茶畝の幅方向に伸縮可能な構造を備えており、油圧ポンプからの油圧制御により駆動される拡縮用シリンダによって伸縮させることができ、これにより、茶畝の幅に応じて走行装置３同士の間隔を異ならせることができるようになっている。
【手続補正１２】
【補正対象書類名】明細書
【補正対象項目名】００１６
【補正方法】変更
【補正の内容】
【００１６】
細断装置４は、図２に示すように、上向き門型に形成された支持フレーム４ａに回転自在に吊設された横向きの回転支軸４ｂと、図３に示すように、回転支軸４ｂの周方向に装着されてフリーハンマーをなす複数のフレール刃４ｃとを備えており、この回転支軸４ｂは、上述したベルト伝動機構を介してディーゼルエンジンからの回転力が伝達されて、図４に示すように、時計方向（図示矢印方向）に回転できるようになっている。
前記支持フレーム４ａは、所定の前後幅を有し、その前部には前部カバー４ｄが中刈機の移動方向の前後に向け揺動自在に枢着され、また支持フレーム４ａの左右両側部には支持アーム４ｅ，４ｅ（図２参照）が固定されている。
【手続補正１３】
【補正対象書類名】明細書
【補正対象項目名】００１７
【補正方法】変更
【補正の内容】
【００１７】
前記駆動軸２０は、図２において乗用車体１の前部右側で横向きに配置されて回転自在に支持されたもので、乗用車体１の前部左側には上記駆動軸２０と同軸線上に連なった支軸２０’が突設されている。
図２に示すように、前記細断装置４の左右の支持アーム４ｅ，４ｅが上記駆動軸２０および支軸２０’に枢着されることで、細断装置４は、図１において矢印で示すように、全体として駆動軸２０および支軸２０’廻りに上下に回動できるようになっている。
このように細断装置４を上下に回動操作するための構成として、図１，図２に示すように、細断装置４の支持フレーム４ａと車体フレーム２上の支持フレーム２１（図１参照）との間に左右一対の回動用シリンダ２２，２２が架設されている。そしてこの回動用シリンダ２２，２２は、前記操作ボックス６に配置された細断装置回動レバーの操作により同期して伸縮制御されるように、前記油圧ポンプに回路構成されている。
【手続補正１４】
【補正対象書類名】明細書
【補正対象項目名】００１８
【補正方法】変更
【補正の内容】
【００１８】
細断装置４は、以下の構成によりディーゼルエンジンからの動力伝達を行えるようになっている。
駆動軸２０および支軸２０’には、前述したように、細断装置４の回転支軸４ｂとの間でベルト伝動機構２３（図１参照）を介して動力伝達できる構成が備えられており、回転支軸４ｂと後述する屑搬送装置５０のスクリューオーガ５１とは、スクリューオーガ５１の回転軸５２との間に設けられているベルト伝動機構５３（図３，図５参照）により連動できる関係とされている。この場合のベルト伝動機構５３は、図５に示すように、外径比においてスクリューオーガ５１側の回転軸５２の方が大径とされ、所定の回転比が設定されている。
なお、本実施例ではベルト伝動機構５３に換えて、チェーンおよびチェーンスプロケットを用いたチェーン伝動機構とすることも可能である。
【手続補正１５】
【補正対象書類名】明細書
【補正対象項目名】００２０
【補正方法】変更
【補正の内容】
【００２０】
一方、スクリューオーガ５１により構成されている屑搬送装置５０は、回転支軸４ｂの軸方向においてフレール刃４ｃの占有区間よりもスクリューオーガ５１が占める長さが短くされており、その占有区間の差（図３中、符号Ｓで示す区域）が剪枝屑の落下範囲とされている。このため、スクリューオーガ５１によってフレール刃４ｃの占有区間の外側に向け移動する剪枝屑は、上記落下範囲Ｓに達するとスクリューオーガ５１による搬送が行われないので、落下することができる。本実施例では、この落下範囲Ｓが畝間に対面する範囲に設定されている。なお、図４および図５において符号４０は、剪定された剪枝が衝突してさらに細断するための部分であり、また、符号４０Ａは、図２において符号４ｄで示した細断装置４のカバーに相当しており、さらに図４R>４において符号５４は屑搬送装置５０のスクリューオーガ５１に向け細断された剪枝を案内するとともにスクリューオーガ５１の占有空間からフレール刃４ｃが占有する空間内に剪枝を逆移動させないように仕切るガイド部である。
【手続補正１６】
【補正対象書類名】明細書
【補正対象項目名】００２５
【補正方法】変更
【補正の内容】
【００２５】
【発明の効果】
請求項１乃至３記載の発明によれば、細断装置により刈り取られた剪枝屑が剪定刃の回転力によって吹き飛ばされる位置に設けられているオーガにより深刈りあるいは中刈り作業の範囲外に搬送される。これにより、深刈りあるいは中刈り作業の範囲、換言すれば、茶畝の茶樹内に剪枝屑が落下しないようにして茶樹の病気や新芽の育成不良を未然に防止することが可能となる。特に、請求項３記載の発明では、茶畝の幅方向中央を境にして相対方向にリード方向が設定されているオーガにより、茶畝の両側に向けて剪枝屑が振り分けられるので、搬送距離を短くして搬送過程で落下する虞を軽減することができる。
【手続補正１７】
【補正対象書類名】明細書
【補正対象項目名】図面の簡単な説明
【補正方法】変更
【補正の内容】
【図面の簡単な説明】
【図１】
本発明実施例による乗用型中刈り装置の側面図である。
【図２】
図１に示した乗用型中刈り装置の正面図である。
【図３】
本発明実施例による細断装置の平面図である。
【図４】
図３に示した細断装置に用いられるフレール刃と屑搬送手段との位置関係を説明するための模式図である。
【図５】
図４に示したフレール刃と屑搬送手段との配置構成を説明するための図である。
【符号の説明】
１    乗用車体
２    車体フレーム
３    クローラ走行装置
４    細断装置
４ｃ  剪定用フレール
５    剪枝装置
６    操作ボックス
７    送風機
２０  屑搬送手段の回転軸
５０  屑搬送手段
５１  スクリューオーガ
５２  スクリューオーガの回転軸
５３  ベルト伝達機構
Ｌ    茶畝の幅方向中央位置
Ｓ    落下領域